(57)【要約】【課題】生活習慣の改善や健康増進のために老若男女を問わず歩いたり走ったり泳いだり自転車に乗ったりなど運動をしている、しかしその運動が、その個人に適しているかどうかは本来専門のスポーツ管理者によって、個人別に心臓の振巾や収縮や拡張などを科学的に検証し、その運動が最適かどうかを評価しなければならない、しかしスポーツ管理者が居て科学的に運動を検証するためには専門の施設に行かないと測定が出来ない、そのためほとんどの人は自己判断で無理な運動や体調の悪さなどに気が付かなくて、かえって健康を害したり、場合によっては死亡するケースなどが起こっている。【解決手段】心音センサとＡＤ変換ユニットとユーザ端末を接続し、インターネットで管理サーバに接続して、管理サーバのデータベースで測定データを解析してメール発信手段からユーザ端末の携帯電話やＰＣに科学的なデータを送信する。【選択図】図１
2007020689.tif 000002
【特許請求の範囲】
【請求項１】
ユーザの運動負荷強度を心臓の位置近くの胸部に貼着した心音センサと前記心音センサは心臓の心音を収録し、そのアナログ信号をデジタル信号に変換するＡＤ変換ユニット（ＡＤとはアナログ・デジタルの略称にて以後ＡＤと言う）をユーザ端末の携帯電話又はＰＣ（パーソナルコンピュータの略称にて以後ＰＣと言う）に接続し、電子メールを用いて管理サーバに送信し、前記管理サーバ内のメール受信手段によってユーザ端末から送信されたデータを受信し、前記管理サーバはデータベースを備え、インターネットを介してユーザ端末と電子メールを送受信可能に接続し、ユーザ毎のユーザ情報データと測定情報データを前記データベースに内包し、メールアドレスを確認するメールアドレス確認手段と、ユーザの配信アドレスに測定データ解析手段とメール作成手段によって作成した電子メールをユーザ端末へ送信するメール送信手段を持つことを特徴とする心音による運動評価ネットシステム。
【請求項２】
請求項１記載のユーザの端末から送信される測定データはノイズの少ない運動直後の心音であり、管理サーバで送信された運動直後の心音は、データベースで解析されてユーザ端末に表示することで、運動負荷強度が解析され、安全でかつ効果的な運動を評価することができる運動負荷強度評価データであることを特徴とする心音による運動評価ネットシステム。
【請求項３】
運動直後のノイズの少ない心音の測定データはＡＤ変換ユニットによって心臓の振巾レベルと収縮レベルと拡張レベルをデジタル信号に変換してメモリで記憶して、ユーザの端末から送信されることを特徴とする心音による運動評価ネットシステム。
【請求項４】
請求項１記載のＡＤ変換ユニットはクランプ回路とＡＤ変換器とメモリ回路で構成され、別置きタイプでも良いし、携帯電話やＰＣに組み込んでも良いことを特徴とする心音による運動評価ネットシステム。
【請求項５】
請求項１記載のユーザの配信アドレスに測定データ解析手段と回答メール作成手段によって作成した電子メールの記載内容は振巾レベルと心臓の拡張時間と評価等を表示することを特徴とする心音による運動評価ネットシステム。
【請求項６】
請求項１記載のアナログ信号は音圧信号レベルが確認できるものは６４階調の「１」と判断し、音圧レベルのないものは「０」とすることで１サイクルのアナログ信号は「１」または「０」のマトリックス表が作成されることを特徴とする心音による運動評価ネットシステム。
【請求項７】
デジタル信号「０」「１」で受信されたデジタル信号は、管理サーバのデータベースに内包された測定情報データでマトリックス表が再度組み立てられることを特徴とする心音による運動評価ネットシステム。
【発明の詳細な説明】
【技術分野】
【０００１】
本発明は、ユーザの運動強度が安全でかつ効果的な運動であるかを運動負荷強度で評価することができ、更に運動負荷強度評価を電子メールを用いて配信する技術に関する。
【背景技術】
【０００２】
従来、この種のサービスを提供するシステムとしては、主として生活習慣の改善や健康増進を目的とした運動メニューを電子メール及びホームページを用いてユーザに提供するとともに、ユーザの年齢や性別や健康状態に合わせて運動のメユューを種別して提供するシステムがあった。
【特許文献１】特開２００４−１９９１５５号公報
【発明の開示】
【発明が解決しようとする課題】
【０００３】
しかし、生活習慣の改善や健康増進のために老若男女を問わず歩いたり走ったり泳いだり自転車に乗ったりなど運動をしている、しかしその運動が、その個人に適しているかどうかは本来専門のスポーツ管理者によって、個人別に心臓の振巾や収縮や拡張などを科学的に検証してその運動が最適かどうかを評価しなければならない。
【０００４】
しかしスポーツ管理者が居て科学的に運動を検証するためには専門の施設に行かないと測定が出来ない、そのためほとんどの人は自己判断で無理な運動や体調の悪さなどに気が付かなくて、かえって健康を害したり、場合によっては死亡するケースなどが起こっている。
【課題を解決するための手段】
【０００５】
本発明は、上記目的を達成するため、請求項１記載の発明は、ユーザの運動負荷強度を心臓の位置近くの胸部に貼着した心音センサと前記心音センサは心臓の心音を収録し、そのアナログ信号をデジタル信号に変換するＡＤ変換ユニットをユーザ端末の携帯電話又はＰＣに接続し、電子メールを用いて管理サーバに配信し、前記管理サーバ内のメール受信手段によってユーザ端末から送信されたデータを受信し、前記管理サーバはデータベースを備え、インターネットを介してユーザ端末と電子メールを送受信可能に接続し、ユーザ毎のユーザ情報データと測定情報データを前記データベースに内包し、メールアドレスを確認するメールアドレス確認手段と、ユーザの配信アドレスに測定データ解析手段と回答メール作成手段によって作成した電子メールをユーザ端末へ送信するメール送信手段を持つことを特徴とする。
【０００６】
また、請求項２記載の発明は、請求項１記載のユーザの端末から送信される測定データはノイズの少ない運動直後の心音であり、管理サーバで送信された運動直後の心音は、データベースで解析されてユーザ端末に表示することで、運動負荷強度が解析され、安全でかつ効果的な運動を評価することができる運動負荷強度評価データであることを特徴とする。
【０００７】
また、請求項３記載の発明は、運動直後のノイズの少ない心音の測定データはＡＤ変換ユニットによって心臓の振巾レベルと収縮レベルと拡張レベルをデジタル信号に変換してメモリで記憶して、ユーザの端末から送信されることを特徴とする。
【０００８】
また、請求項４記載の発明は、請求項１記載のＡＤ変換ユニットはクランプ回路とＡＤ変換器とメモリ回路で構成され、別置きタイプでも良いし、携帯電話やＰＣに組み込んでも良いことを特徴とする。
【０００９】
また、請求項５記載の発明は、請求項１記載の配信アドレスに測定データ解析手段と回答メール作成手段によって作成した電子メールの記載内容は振巾レベルと心臓の拡張時間と評価等を表示することを特徴とする。
【００１０】
また、請求項６記載の発明は、請求項１記載のアナログ信号は音圧信号レベルが確認できるものは６４階調の「１」と判断し、音圧レベルのないものは「０」とすることで１サイクルのアナログ信号は「１」または「０」のマトリックス表が作成されることを特徴とする。
【００１１】
また、請求項７記載の発明は、デジタル信号「０」「１」で受信されたデジタル信号は、管理サーバのデータベースに内包された測定情報データでマトリックス表が再度組み立てられることを特徴とする。
【発明の効果】
【００１２】
以上説明したように、本発明によれば、ユーザは電子メールによってユーザ端末の携帯電話やＰＣに配信されてきた運動強度が安全でかつ効果的な運動であるかの運動負荷強度評価を電子メールを用いて科学的なデータと評価を場所、時間等に関係なくいつでも自由にメール配信を受けることができる。
【発明を実施するための最良の形態】
【００１３】
心音センサとＡＤ変換ユニットとユーザ端末を接続し、インターネットで管理サーバに接続して、管理サーバのデータベースで測定データを解析してメール発信手段からユーザ端末の携帯電話やＰＣに科学的なデータと評価することによって実現した。
【実施例１】
【００１４】
以下、本発明の実施例を図面に基づいて具体的に説明する。
【００１５】
図１は、この発明に係わる心音による運動評価ネットシステムの全体構成図である。
【００１６】
また、図２は心音センサによって収録する測定データの図である。
【００１７】
また図３は、この発明に係わる心音による運動評価ネットシステムのユーザ端末の実施例図である。
【００１８】
また図４は、この発明に係わる心音による運動評価ネットシステムのユーザ端末の表示の実施例図その１である。
【００１９】
また図４は、この発明に係わる心音による運動評価ネットシステムのユーザ端末の表示の実施例図その２である。
【００２０】
また図４は、この発明に係わる心音による運動評価ネットシステムのユーザ端末の表示の実施例図その３である。
【００２１】
また図５は、この発明に係わる心音による運動評価ネットシステムのフローチャート図である。また図６は、音圧レベルのマトリックス表である。
【００２２】
図１において本発明のシステムの全体構成図であるが、図５のシステムのフローチャート図と合わせて説明する。
【００２３】
ユーザ１は運動が終わると心音センサ２を心臓の位置近くの胸部に貼着し心音Ｓを収録する、心音センサは例えばマイクロホンなどが使用される。
【００２４】
心音Ｓは運動中でも収音することが出来るがノイズが入り望ましくない。
【００２５】
また本発明の測定データの心臓の収縮や拡張の測定データは運動直後が最も望ましい。
【００２６】
心音センサ２が心音Ｓを収録し、そのアナログ信号Ａはケーブル２ａを伝ってＡＤ変換ユニット３に送られる。
【００２７】
ＡＤ変換ユニット３はアナログ信号Ａのレベルが変化しないようにクランク回路３ａとＡＤ変換器３ｂとメモリ回路３ｃで構成される。
【００２８】
音圧信号レベルのアナログ信号Ａのデジタル信号Ｄの変換は、まず音圧信号レベルの微弱電流を増幅し４Ａ（アンペア）から２０Ａの範囲を６ビットのＡＤ変換器３ｂで６４階調の音圧レベルに区分する、音圧信号レベルが確認できるものは６４階調の「１」と判断し、音圧レベルのないものは「０」とすることで１サイクルのアナログ信号は「１」または「０」のマトリックス表（図６）が作成される。
【００２９】
マトリックス表（図６）はメモリ回路３ｃで記憶され、送信時はマトリックス表を左右横軸又は上下縦軸で順次走査することでデジタル信号「０」「１」で送信される。
【００３０】
前記、６ビットのＡＤ変換器３は例えば１２ビット、２４ビット、４８ビット等を使用し、６４階調を１２８階調、２５６階調、５１２階調にしてもよい。
【００３１】
図２で示すように心音２は収縮Ｙと拡張Ｚを１サイクル（Ｙ＋Ｚ）として繰り返される。
前記、ＡＤ変換ユニット３でデジタル信号Ｄに変換された６４階調の音圧信号をメモリ回路３ｃは１サイクルの単位で記憶し、ユーザ端末４からインターネット５に接続され、測定データとして管理サーバ６に送信される。
【００３２】
ＡＤ変換ユニット３とユーザ端末４はケーブル３ｄで接続される。
【００３３】
例えばＡＤ変換ユニット３をユーザ端末４の内部に組み込むこともできる、その場合はケーブル３ｄは不要になる。
【００３４】
またＡＤ変換ユニット３は図３が示すように固定バンド１６のように身体の一部に固定した別置きタイプでも良いし、ユーザ端末４の携帯電話やＰＣに組み込むこともできる。
管理サーバ６はメール受信手段７によってユーザ端末４から送信された測定データを受信する。
【００３５】
前記管理サーバ６はデータベース１０を備え、インターネット５を介してユーザ端末４と電子メールを送受信可能に接続し、ユーザ毎のユーザ情報データ１２と測定情報データ１１を前記データベース１０に内包し、メールアドレスを確認するメールアドレス確認手段９と、ユーザの配信アドレスに測定データ解析手段１３とメール作成手段１４によって作成した電子メールをユーザ端末４へ送信するメール送信手段８を備えている。
【００３６】
デジタル信号「０」「１」で受信されたデジタル信号Ｄは、管理サーバ６のデータベース１０に内包された測定情報データ１１でマトリックス表（図６）が再度組み立てられる。
【００３７】
管理サーバ６に内包されたデータベース１０のユーザ情報データ１２には過去に測定し、  蓄積された各人の測定データが記録されている。
【００３８】
ユーザ情報データ１２には、各人の年齢、性別、身長、体重、病歴、生活習慣などの個人データが記録されている。
【００３９】
また、測定情報データ１１は医学的に検証された科学データが入力されている。
【００４０】
前記、ユーザ情報データ１２と測定情報データ１１をベースにして、ユーザ端末４からインターネット５を介して送信されてきた測定データを測定データ解析手段１３で解析することで運動負荷強度評価がなされる。
【００４１】
前記、測定データ解析手段１３で運動負荷強度評価が行われると、その運動負荷強度評価はメール作成手段１４によって作成され、メールアドレス確認手段９によってユーザが確認されて、メール発信手段１３によってインターネット５を介してユーザ端末４に発信される。
【００４２】
図２によれば、振巾Ｘは心臓の収縮力を示し、Ｙは心臓の収縮時間を示し、Ｚは心臓の拡張時間を示す。
【００４３】
心音Ｓは振巾ＸのＳ１の収縮時とＳ２の拡張時の二つで構成される。
【００４４】
心音Ｓは収縮Ｙと拡張Ｚを１サイクル（Ｙ＋Ｚ）として繰り返される。
【００４５】
収縮開始時に心音に音圧が生じる、これを心音Ｓ１と言いアナログの波形で捉えることができる。
【００４６】
また、収縮終了時に弱いが音圧が生じる、これも心音Ｓ２と言いアナログの波形で捉えることができる。
【００４７】
運動負荷が強い場合は、心臓は強く収縮して血液を身体に送給する、このとき生じる心音Ｓ１の音圧は高くアナログの波形も大きい。
【００４８】
逆に、運動負荷が弱い場合は、心臓は弱く収縮して血液を身体に吐出する、その場合は心音Ｓ１の音圧は低くアナログの波形も小さい。
【００４９】
通常、拡張時間は収縮力Ｘが強ければ、短くなり、収縮力Ｘが弱ければ長くなる。
【００５０】
収縮力Ｘが強く１サイクルに対する拡張時間の割合が極端に少なくなると運動負荷強度が強すぎると評価される。
【００５１】
逆に、収縮力Ｘが弱く１サイクルに対する拡張時間が長いときは運動負荷強度が弱いと評価される。
【００５２】
運動負荷強度が強すぎると評価されれば運動負荷を弱めないと身体に悪影響が及び、運動負荷強度が弱いと評価されれば運動負荷を強めないと体力増強にはつながらない。
【００５３】
入力された運動負荷とそれに対応するＳ１の振幅と拡張時間の割合の関係からＳ１が急増しはじめ、かつ拡張時間の割合が一定になる強度範囲が安全で効果的な運動範囲となる。
【００５４】
振巾Ｘ及収縮Ｙと拡張Ｚの１サイクルの強弱や波形の大小や時間を測定すれば科学的な運動負荷強度評価が出せる。
【００５５】
１サイクル（Ｙ＋Ｚ）の時間が長いほど心臓の負担が少ないと言える。
【００５６】
１サイクル（Ｙ＋Ｚ）には心臓の収縮Ｙと拡張Ｚのそれぞれの心音の振巾と音圧レベルのＳ１とＳ２のアナログ波形が読み取れる。
【００５７】
１サイクル（Ｙ＋Ｚ）の心音の振巾と音圧レベルのＳ１とＳ２のアナログ波形が繰り返される。
【００５８】
図３は、ユーザ端末４の携帯電話であるが、ユーザの運動負荷強度を心臓の位置近くの胸部に貼着した心音センサ２で心音Ｓを収録し、そのアナログ信号をデジタル信号に変換するＡＤ変換ユニット３をユーザの腕に固定バンド１６で固定し、ＡＤ変換ユニット３からケー物３ｄで携帯電話に接続し、電子メールを用いて管理サーバ６に送信する。
【００５９】
管理サーバ６のメール受信手段７によってユーザ端末４から送信された測定データを受信し、管理サーバ６はデータベース１０を備え、インターネット５を介してユーザ端末４と電子メールを送受信可能に接続し、ユーザ毎のユーザ情報データ１２と測定情報データ１１をデータベースに内包し、メールアドレスを確認するメールアドレス確認手段９と、ユーザの配信アドレスに測定データ解析手段１３とメール作成手段１４によって作成した電子メールをユーザ端末４へ送信するメール送信手段８によって送信されたメールはユーザ端末４の携帯電話の表示部１６に運動負荷強度評価が表示される、図４と図５と図６は表示部１６の表示画面の事例である。
【００６０】
図４において、表示は、会員番号、氏名、受信年月日時間、振巾レベル、振巾レベルの平均値、振巾レベル前回測定値、心臓拡張時間、心臓拡張平均値、心臓拡張前回測定値、とアドバイスである。
【００６１】
図５において、表示は、ステップ運動、歩行運動、ランニング、自転車、とアドバイスである。
【００６２】
図６において、表示は、ＩＤ、選択運動様式、全増幅を表で表示した。
【００６３】
例えば、前記以外にユーザＩＤ、シリアル番号、適切な運動メニューなどを表示することも出来るし、心音の波形と併記することもできる。
【産業上の利用可能性】
【００６４】
本発明は、低料金で誰でもが時間や場所に関係なく、運動による科学的な運動負荷強度評価をユーザ端末の例えば携帯電話でインターネットに接続すること得られるシステム用途に適用される。
【図面の簡単な説明】
【００６５】
【図１】この発明に係わる心音による運動評価ネットシステムの全体構成図である。
【図２】心音センサによって収録する測定データの図である。
【図３】この発明に係わる心音による運動評価ネットシステムのユーザ端末の実施例図である。
【図４】この発明に係わる心音による運動評価ネットシステムのユーザ端末の表示の実施例図その１である。
【図５】この発明に係わる心音による運動評価ネットシステムのユーザ端末の表示の実施例図その２である。
【図６】この発明に係わる心音による運動評価ネットシステムのユーザ端末の表示の実施例図その３である。
【図７】この発明に係わる心音による運動評価ネットシステムのフローチャート図である。
【図８】音圧レベルのマトリックス表である。
【符号の説明】
【００６６】
Ａ  アナログ信号
Ｄ  デジタル信号
Ｓ  心音
Ｘ  振巾
Ｙ  収縮
Ｚ  拡張
１  ユーザ
２  心音センサ
２ａケーブル
３  ＡＤ変換ユニット
３ａクランプ回路
３ｂＡＤ変換器
３ｃメモリ回路
３ｄケーブル
４  ユーザ端末
５  インターネット
６  管理サーバ
７  メール受信手段
８  メール送信手段
９  メールアドレス確認手段
１０データベース
１１測定情報データ
１２ユーザ情報データ
１３測定データ解析手段
１４メール作成手段
１５表示部
１６固定バンド
【図４】
2007020689.tif 000003
【図５】
2007020689.tif 000004
【図１】
2007020689.tif 000005
【図２】
2007020689.tif 000006
【図３】
2007020689.tif 000007
【図６】
2007020689.tif 000008
【図７】
2007020689.tif 000009
【図８】
2007020689.tif 000010